(57)【要約】      （修正有）【課題】シートの下から若しくはそのシートを治具上でひっくり返さずに、ビスを用いずシート・クッション・フレームのブラケットにシート・サイド・ガーニッシュを取り付け可能にして作業性を向上する自動車シートの提供。【解決手段】シート・クッション・フレーム・リアに固定的に支持され、上下方向に適宜の間隔で上下のスリットを後側縁に開口するスリット入りサイド・ブラケットと、内側面２６に突き出され、横方向においてそのサイド・ブラケットの内側板面に当てられるブラケット受けリブ２７、横方向においてサイド・ブラケットの外側板面を押す上下のブラケット押えリブ２９、３０、およびスリットにはめ合わせられる上下のスリットはめ合わせリブ３１、３２を有し、それらリブ２７、２９、３０、３１、３２でそのサイド・ブラケットに固定的に組み付けられるシート・サイド・ガーニッシュ２４とを備える。【選択図】        図３
2004175214.tif 000002
【特許請求の範囲】
【請求項１】
細長い板片から作られ、板面を横方向に直行させてシート・クッション・フレームのフレーム・サイドにおいて下方に垂れ下げられ、そして、シート・クッション・フレーム・リアに固定的に支持され、また、上下方向に適宜の間隔で上下のスリットを後側縁に開口するスリット入りサイド・ブラケットと、内側面に突き出され、横方向においてそのサイド・ブラケットの内側板面に当てられるブラケット受けリブ、上下方向に適宜の間隔でそのブラケット受けリブに向けてその内側面に突き出され、そして、その横方向においてそのサイド・ブラケットの外側板面を押す上下のブラケット押えリブ、およびそのサイド・ブラケットのその上下のスリットに対応して上下方向にそのスリットの間隔でそのブラケット受けリブの外側面に突き出されてその上下のスリットにはめ合わせられる上下のスリットはめ合わせリブを有し、そして、それらリブでそのサイド・ブラケットに固定的に組み付けられるシート・サイド・ガーニッシュとを備えるところの自動車シート。
【発明の詳細な説明】
【０００１】
【発明の関係する分野】
この発明は、シート・サイド・ガーニッシュの取付けを改善する自動車シートに関する。
【０００２】
【背景技術】
自動車シートは、樹脂製シート・サイド・ガーニッシュがビスで裏面からシート・クッション・フレームのブラケットに締め付けられる構造を採るのが一般である。そのビス締め工程は、そのシートの下から若しくはそのシートを治具上でひっくり返して行われるので、作業性が悪かった。
【０００３】
【発明の課題】
この発明の課題は、シートの下から若しくはシートを治具上でひっくり返さずに、そして、ビスを用いずにシート・クッション・フレームのブラケットにシート・サイド・ガーニッシュを固定的に取り付け可能にして作業性を向上するところの自動車シートの提供にある。
【０００４】
【課題に相応する手段およびそれの作用】
この発明は、細長い板片から作られ、板面を横方向に直行させてシート・クッション・フレームのフレーム・サイドにおいて下方に垂れ下げられ、そして、シート・クッション・フレーム・リアに固定的に支持され、また、上下方向に適宜の間隔で上下のスリットを後側縁に開口するスリット入りサイド・ブラケットと、内側面に突き出され、横方向においてそのサイド・ブラケットの内側板面に当てられるブラケット受けリブ、上下方向に適宜の間隔でそのブラケット受けリブに向けてその内側面に突き出され、そして、その横方向においてそのサイド・ブラケットの外側板面を押す上下のブラケット押えリブ、およびそのサイド・ブラケットのその上下のスリットに対応して上下方向にそのスリットの間隔でそのブラケット受けリブの外側面に突き出されてその上下のスリットにはめ合わせられる上下のスリットはめ合わせリブを有し、そして、それらリブでそのサイド・ブラケットに固定的に組み付けられるシート・サイド・ガーニッシュとを備え、そして、その上下のスリットにその上下のスリットはめ合わせリブを、そのブラケット受けリブおよび上下のブラケット押えリブの間にそのサイド・ブラケットをそれぞれ差し込んでそのブラケット受けリブおよび上下のブラケット押えリブにそのサイド・ブラケットを挟ませ、そのシート・サイド・ガーニッシュをそのサイド・ブラケットに固定的に組み付けてそのシート・サイド・ガーニッシュをシート・クッションのサイド・リアに取り付ける。
【０００５】
【具体例の説明】
以下、特定されて図示された具体例に基づいて、この発明の自動車シートを説明するに、図１ないし図３は、乗用車のフロント・シート３０に具体化されたところのこの発明の自動車シートの具体例１０を示し、そして、このフロント・シート１０は、シート・クッションにシート・バックをリクライニング可能に支持させ、そして、そのシート・クッションにシート・トラックおよびシート・リフタを組み込んで前後調整および上下調整可能にするところの構造を採る。
【０００６】
そのフロント・シート・アームレスト１０では、スリット入りサイド・ブラケット１６が、細長い鋼板片から成形され、板面１７、１８を横方向に直行させてシート・クッション・フレーム１１のフレーム・サイド１３において下方に垂れ下げられ、そして、シート・クッション・フレーム・リア１２に固定的に支持され、そして、上下方向に適宜の間隔で上下のスリット２１、２２を後側縁２０に開口し、また、シート・サイド・ガーニッシュ２４が、内側面２６に突き出され、横方向においてそのサイド・ブラケット１６の内側面１８に当てられるブラケット受けリブ２７、上下方向に適宜の間隔でそのブラケット受けリブ２７に向けてその内側面２６に突き出され、そして、その横方向においてそのサイド・ブラケット１６の外側板面１７を押す上下のブラケット押えリブ２９、３０、およびそのサイド・ブラケット１６の上下のスリット２１、２２に対応して上下方向にそのスリット２１、２２の間隔でそのブラケット受けリブ２７の外側面２８に突き出されてその上下のスリット２１、２２にはめ合わせられる上下のスリットはめ合わせリブ３１、３２を備える構造で硬質樹脂から成形される。
【０００７】
そのスリット入りサイド・ブラケット１６は、短冊形鋼板片の一端側でその後側縁２０にその上下のスリット２１、２２を開口し、そして、他端側を取付けアーム２３に直角曲げされてその取付けアーム２３でそのシート・クッション・フレーム・リア１２に固定的に取り付けられる。
【０００８】
そのシート・サイド・ガーニッシュ２４では、その上下のブラケット押えリブ２９、３０は差込み側先端のコーナーを斜めにカットしてそのブラケット受けリブ２７とその上下のブラケット押えリブ２９、３０との間にそのサイド・ブラケット１６を差し込み易くし、また、の上下のスリットはめ合わせそリブ３１、３２の上下方向に適宜に離れてそのシート・サイド・ガーニッシュ２４のその内側面２６に突き出され、そして、そのブラケット受けリブ２７にそのサイド・ブラケット１６を安定的に押し付けて横方向に挟み付ける。
【０００９】
また、このフロント・シート１０において、１４はクロス・プレート、１５はＳ字スプリング、１９は前側縁、そして２８は外側面である。
【００１０】
したがって、このフロント・シート１０では、そのシート・バックがそのシート・クッションにリクライニング可能に組み付けられてから、そのシート・サイド・ガーニッシュ２４を手に持って回転させながらその上下のスリット２１、２２にその上下のスリットはめ合わせリブ３１、３２を、そのブラケット受けリブ２７および上下のブラケット押えリブ２９、３０の間にそのサイド・ブラケット１６をそれぞれ差し込んでそのブラケット受けリブ２７および上下のブラケット押えリブ２９、３０にそのサイド・ブラケット１６を挟ませ、そのシート・サイド・ガーニッシュ２４をそのサイド・ブラケット１６に固定的に組み付ける。そのように、そのシート・サイド・ガーニッシュ２４はそのサイド・ブラケット１６によってそのシート・クッションのサイド・リアに簡単に取り付けられ、そして、ビスや樹脂クリップが省かれてそのフロント・シート１０の下から若しくはそのフロント・シート１０を治具上でひっくり返さずにそのシート・サイド・ガーニッシュ２４がそのシート・クッションのそのサイド・リアに固定的に取り付け可能になり、そして、そのビス止め作業やその樹脂クリップ止め作業が省かれて作業性が向上され、そして、コストの低減が図られ、さらに、そのシート・サイド・ガーニッシュ２４は剛性を高められて大型化を可能にする。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明の自動車シートは、細長い板片から作られ、板面を横方向に直行させてシート・クッション・フレームのフレーム・サイドにおいて下方に垂れ下げられ、そして、シート・クッション・フレーム・リアに固定的に支持され、また、上下方向に適宜の間隔で上下のスリットを後側縁に開口するスリット入りサイド・ブラケットと、内側面に突き出され、横方向においてそのサイド・ブラケットの内側板面に当てられるブラケット受けリブ、上下方向に適宜の間隔でそのブラケット受けリブに向けてその内側面に突き出され、そして、その横方向においてそのサイド・ブラケットの外側板面を押す上下のブラケット押えリブ、およびそのサイド・ブラケットのその上下のスリットに対応して上下方向にそのスリットの間隔でそのブラケット受けリブの外側面に突き出されてその上下のスリットにはめ合わせられる上下のスリットはめ合わせリブを有し、そして、それらリブでそのサイド・ブラケットに固定的に組み付けられるシート・サイド・ガーニッシュとを備えるので、この発明の自動車シートでは、ビスや樹脂クリップが省かれてそのシート・サイド・ガーニッシュが、シートの下から若しくはシートを治具上でひっくり返さずにシート・クッションのサイドに簡単に固定的に取り付け可能になり、そのビス止め作業やその樹脂クリップ止め作業が省かれて作業性が向上され、そして、コストの低減が図られ、さらに、そのシート・サイド・ガーニッシュは剛性を高められて大型化も可能になり、その結果、自動車にとって非常に有用で実用的である。
【図面の簡単な説明】
【図１】乗用車のフロント・シートに具体化されたところのこの発明の自動車シートの具体例をスリット入りサイド・ブラケットまわりで示した部分斜視図である。
【図２】そのフロント・シートをシート・サイド・ガーニッシュまわりで示した部分斜視図である。
【図３】そのシート・サイド・ガーニッシュを内側面側で示した部分斜視図である。
【符号の説明】
１１  シート・クッション・フレーム
１２  シート・クッション・フレーム・リア
１３  フレーム・サイド
１６  スリット入りサイド・ブラケット
１７  板面／外側板面
１８  板面／内側板面
２０  後側縁
２１  上のスリット
２２  下のスリット
２４  シート・サイド・ガーニッシュ
２６  内側面
２７  ブラケット受けリブ
２８  外側面
２９  上のブラケット押えリブ
３０  下のブラケット押えリブ
３１  上のスリットはめ合わせリブ
３２  下のスリットはめ合わせリブ
【図１】
2004175214.tif 000003
【図２】
2004175214.tif 000004
【図３】
2004175214.tif 000005